(57)【特許請求の範囲】
【請求項１】
所要のパチンコゲームを展開し得る遊技盤(10)の遊技領域(13)内に設置された各種の遊技部品(15)に対する所要位置に配設されて、遊技球を案内し得る回転案内具にあって、
前記遊技盤(10)における前記遊技部品(15)の前側透視体(16)の外側縁部(16a)に近接して取り付けられる取付けベース(26)と、
前記取付けベース(26)の前面に回転可能に支持され、該取付けベース(26)に組付けた状態において前記前側透視体(16)の外側縁部(16a)と前後に重なり合わない小径の内輪体(34)と、
リム部(45)の外周に複数の球受け片(46)を放射状に配設して内輪体(34)の外側に対して前側からの操作で着脱可能に組付け可能で、該内輪体(34)に組付けた状態において前記外側縁部(16a)と前後に重なり合う大径の外輪体(44)と、
前記外輪体(44)における係合段部(52)の前面側に着脱自在に取着される蓋部材(56)とを有し、
前記蓋部材(56)は、その外周に突設した複数の突部(57)を、外輪体(44)における前記リム部(45)の内面前側に対応的に形成した溝(55)に嵌挿することにより外輪体(44)に対して前面側から着脱自在に取着するよう構成されている
ことを特徴とするパチンコ遊技盤における遊技球用の回転案内具。
【請求項２】
前記取付けベース(26)は、前記遊技盤(10)に開設した装着孔(24)に嵌挿されるボス(27)と、該遊技盤(10)の前面に当接するベース板(28)とが一体に成形され、
前記ベース板(28)とボス(27)の中央部に前後方向に延在するよう穿設した通孔(31)に、前記内輪体(34)を回転可能に支持する支軸(32)が嵌入される請求項１記載のパチンコ遊技盤における遊技球用の回転案内具。
【発明の詳細な説明】
【０００１】
【発明の属する技術分野】
この発明は、パチンコ遊技盤における遊技球用の回転案内具に係り、更に詳しくは、パチンコゲームを展開し得る遊技盤の遊技領域内に配設されて、パチンコ球(遊技球)を受けて案内する回転案内具に関するものである。
【０００２】
【従来の技術】
周知のように、パチンコ機やアレンジボール機に代表される遊技機では、機内に収容セットされる遊技盤の遊技領域において、一般に風車(フウシャ)とも呼ばれている類いの回転案内具・部品が他の遊技部品に対応する部位に配設されて、遊技領域内に打込まれたパチンコ球(遊技球ともいう)を受けて、夫々の方向へ案内し得るようになっている。この回転案内具は、パチンコゲームの内容別に区分される遊技盤の遊技領域内において、受けた遊技球を所要の方向,位置(具体例として、特別ゲームの開始条件を発生,成立するための始動入賞口や特定入賞口等)に向けて適正に案内してゲーム効果を高めることが望まれ、これを実現可能とするために、その配置部位が工夫,選定されて実施されている。そして、従来から実施されている回転案内具については、例えば図９および図１０に例示するような形態のものが実施されている。
【０００３】
図９に示す回転案内具６０は、金属成形された円盤６１と、遊技球Ｂを受止める樹脂成形製の回転羽根車６２とを組付けて、遊技盤前面に打込まれる釘６３を支軸として回転可能に取着されるタイプである。この回転案内具６０は、遊技盤におけるセンター役物の両側縁部等の所定位置に取着されるため、遊技盤の製作段階において、遊技領域に多数本の案内釘を植設する工程と、センター役物等の各種遊技部品を設置する工程の後、すなわち最終の工程として前記釘６３を植設して取着されるようになっている。
【０００４】
また、図１０に示す回転案内具６５は、遊技盤前面にビス着される樹脂成形製の取付けベース６６の支軸(ピン)６７に、遊技球Ｂを受止める突条部６９を外周に複数個成形した樹脂成形製の回転羽根車６８を、回転可能に連結支持させたタイプである。この回転案内具６５は、前記取付けベース６６の裏側にランプを配設し、また前記回転羽根車６８を光透過可能に構成することにより、電飾機能を兼ね備えるようになっている。そして、このような形態の回転案内具６５は、取付けベース６６に回転羽根車６８を前もって組付けておき、遊技盤の製作段階においては、遊技領域に多数本の案内釘を植設する工程の後、すなわち他の遊技部品を配設(設置)する工程で、ビス７０により該取付けベース６６を遊技盤に取着するようになっている。
【０００５】
【発明が解決しようとする課題】
近年のパチンコ遊技機で構成,セットされる遊技盤においては、遊技部品のひとつとして、俗にセンター役物とも呼ばれている大型の装置・器具(具体例として、図柄可変表示装置の前側透視体や電動式開閉入賞装置等)が使用されつつある。このような大型役物が使用される場合では、その設置占有面積から観て回転案内具の取着位置が、自ずと始動入賞口や特定入賞口等から大きく離れた位置に制約されることになってしまい、ゲーム効果の向上に適した遊技球の適正な案内ができなくなる。このため現実においては、大型のセンター役物の左右両外側縁に対して夫々の回転案内具をできるだけ近接させ、前後に位置する案内具羽根部と役物外側縁とが互いに左右大きくラップすることを承知の上で取着している。
【０００６】
しかし、前述したようなセンター役物と回転案内具との配設形態にあっては、遊技盤の製作において双方の取着作業順が制約されてしまう不便があり、また遊技に供されている遊技盤においてセンター役物の点検取外しや交換に際しては、近傍にある回転案内具が邪魔になってしまい、取外し・交換が手早く容易にできない。これに関連して、前記図９の回転案内具６０では、支軸としての釘６３を抜き取るか若しくは折り曲げなければ前記センター役物を取外すことができず、更にセンター役物の取付け後には、該釘６３を再び打込んだり曲げ戻す等の作業を要する問題点がある。また図１０の回転案内具６５では、回転羽根車６８を取付けベース６６から容易に取外し得る構成ではないので、センター役物の取外し,取付けに際しては、ビス７０の弛め,ねじ込みによる回転案内具６５自体の着脱が必要となる欠点がある。従って、これら回転案内具６０,６５においては、センター役物等の着脱に際して、その取扱いに苦慮すると共に、随分煩わしい作業を伴う欠点を内在していた。
【０００７】
更に前記回転案内具６０では、円盤６１の前面にデザイン印刷を施して装飾効果向上が図られているが、この円盤６１および回転羽根車６２を回転可能に支持する前記釘６３の頭部が該円盤６１の前面側に露出しているため、回転案内具６０の質感向上および装飾効果向上を図り得ない問題を内在している。また前記回転案内具６５では、ランプの点灯または点滅による電飾効果が図られているとしても、回転羽根車６８を回転可能に支持する前記支軸６７が該羽根車６８の前面側に露出しているため、この回転案内具６５においても質感向上および装飾効果向上に課題が指摘される。
【０００８】
【発明の目的】
本発明は、前述した課題を好適に解決するべく新規に提案されたもので、パチンコゲームを展開し得る遊技盤の遊技領域内に設置される大型の遊技部品の外周囲隣接位置にも取着可能にして、遊技球の好適な案内を図り得ると共に大型の遊技部品の着脱を楽にできるようにし、更に装飾効果を高めた着脱式内外２重輪形態の回転案内具を提供することを目的とする。
【０００９】
【課題を解決するための手段】
前記課題を解決し、所期の目的を達成するため、本発明に係るパチンコ遊技盤における遊技球用の回転案内具は、
所要のパチンコゲームを展開し得る遊技盤の遊技領域内に設置された各種の遊技部品に対する所要位置に配設されて、遊技球を案内し得る回転案内具にあって、
前記遊技盤における前記遊技部品の前側透視体の外側縁部に近接して取り付けられる取付けベースと、
前記取付けベースの前面に回転可能に支持され、該取付けベースに組付けた状態において前記前側透視体の外側縁部と前後に重なり合わない小径の内輪体と、
リム部の外周に複数の球受け片を放射状に配設して内輪体の外側に対して前側からの操作で着脱可能に組付け可能で、該内輪体に組付けた状態において前記外側縁部と前後に重なり合う大径の外輪体と、
前記外輪体における係合段部の前面側に着脱自在に取着される蓋部材とを有し、
前記蓋部材は、その外周に突設した複数の突部を、外輪体における前記リム部の内面前側に対応的に形成した溝に嵌挿することにより外輪体に対して前面側から着脱自在に取着するよう構成されていることを特徴とする。
【００１０】
【作用】
回転案内具は、遊技盤に回転可能に支持される内輪体に対して外輪体を組付けることで実施に供される。従って、遊技領域に打出された後に外輪体の球受け片で受け止められた遊技球は、該遊技球の自重により自由回転する外輪体と共に移動した後に、適宜方向へ変向案内される。また、前記外輪体が遊技部品の前方に重なった状態で回転案内具を遊技盤に配設してある場合に、メンテナンス作業等によりこの遊技部品を遊技盤から取外す際には、前記外輪体を内輪体から取外すことにより、該遊技部品の着脱が簡単かつ容易に行ない得る。また外輪体の前面には、蓋部材が取着されているので、前記内輪体および該内輪体を回転可能に支持する支持部材が覆蓋され、回転案内具の質感向上および装飾効果向上が図られる。
【００１１】
【発明の実施の形態】
次に、本発明に係るパチンコ遊技盤における遊技球用の回転案内具について、好適な実施例を挙げて、添付図面を参照しながら、以下詳細に説明する。なお本実施例では、遊技機として一般的なパチンコ機に装着される遊技盤に回転案内具を配設し、この遊技盤の遊技領域に打出された遊技球を変向案内する場合を例示する。
【００１２】
そこで先ず、パチンコ機における前枠の正面内部に着脱可能にセットされる本実施例の遊技盤について、図１および図７を参照して要約説明する。この遊技盤１０は、第１種パチンコ遊技機用のものを例示しており、パチンコゲームに供される各種の遊技部品や表示用の遊技部品等が配設されている。すなわち、盤本体１１の円形状の案内レール１２内の遊技領域１３において、上部に入賞具１４を有する電子制御式の図柄表示装置１５が中央に配設されている。この図柄表示装置１５は、図７に示すように、遊技盤１０の前面側に装着セットされる前側透視体１６と、内部に図柄表示ユニット等を収容して該遊技盤１０の裏面側に突出状態で装着される保持枠体１５Ａとから構成されている。
【００１３】
前記入賞用の遊技部品としては、入球検出に基いて前記図柄表示装置１５の図柄作動条件を発生し得る始動入賞具１７、入賞口不変形態の普通入賞具１８、両側に普通入賞具１９を配設すると共に中央に特別遊技の条件成立に基いて開成作動される開閉部材２０を備えたアタッカータイプの特別入賞装置２１が夫々配設されている。また、表示用の遊技部品として、ランプ付きの回転案内具(ランプ風車)２２や照明具２３等が所定位置に配設されている。
【００１４】
本発明の実施例に係る回転案内具２５は、図２に示すように、遊技盤１０前面に取着される取付けベース２６から水平前方へ延出した軸部材としての支軸３２に、小径の内輪体３４が着脱不能な状態で回転可能に支持され、この内輪体３４に大径の外輪体４４が前側から着脱可能に組付けられるようになっている。そして図１に示すように、例えば前記図柄表示装置１５の左右両側部に回転案内具２５が１基ずつ配設されて、遊技盤１０の遊技領域１３に打出された遊技球を、該案内具２５によって始動入賞具１７等の方向へ適宜変向案内するようになっている。
【００１５】
前記回転案内具２５における取付けベース２６は、図２,図４および図６に示すように、遊技盤１０の所定位置に開設した装着孔２４に嵌挿されるボス２７と、該遊技盤１０の前面に当接する菱形平板状のベース板２８とが一体に成形されている。このベース板２８の長手方向の両端部近傍にはビス孔２９が夫々形成されており、取付けベース２６は、前記ボス２７を装着孔２４に嵌挿した状態で、各ビス孔２９に挿通したビス３０を介して遊技盤１０に取付けられる。また、前記ベース板２８とボス２７の中央部には、前後方向に延在する通孔３１が穿設されており、内輪体３４を回転可能に支持する前記支軸３２が嵌入し得るようになっている。
【００１６】
前記内輪体３４は、図２,図４および図６に示すように、前記支軸３２が遊嵌状態で貫通する寸法に設定された軸孔３５を形成したボス部３６に、半径方向外方へ延出する１対のリブ３７,３７が対向的に形成されると共に、各リブ３７の延出端に円弧状の嵌合片部３８が夫々形成されている。また、ボス部３６の後端には、両嵌合片部３８,３８の外周面より適宜大径に設定された円板状のフランジ３９が一体的に形成されており、図６に示すように、このフランジ３９の両嵌合片部３８,３８から外方に突出する突出部３９ａ,３９ａに外輪体４４の後面が当接して位置決めされるようになっている。更に、前記リブ３７の配設方向と直交する方向においてボス部３６を挟んだ対向位置、すなわち各嵌合片部３８,３８の周方向の端部間には、前記フランジ３９における弦部３９ｂ,３９ｂの端面から前方へ延出する係合片４０,４０が弾性変形可能に配設されており、先端に形成された爪部４１,４１を互いに近接,離間し得るようになっている。そして、このように構成された内輪体３４は、図６に示すように、軸孔３５に対し前側から挿通した支軸３２を前記取付けベース２６の通孔３１に嵌挿させることにより、該取付けベース２６の前面に回転自在に装着される。なお、通孔３１の後方へ突出した支軸３２に、抜止め用の金具４２が取付けられる。
【００１７】
前記外輪体４４では、図２〜図５に示すように、リム部４５の外周から遊技球Ｂの半径と略同一寸法で径方向に突出する球受け片４６が、周方向に遊技球Ｂの外径に適した間隔で放射状に複数個形成されると共に、隣り合う球受け片４６,４６の間に遊技球Ｂが整合し得る曲面状の球受け部４７が形成される。また、前記リム部４５の内側には、前記内輪体３４に形成した嵌合片部３８,３８が整合し得る嵌合面部４８,４８と、係合片４０,４０が整合し得る逃し溝４９,４９とを内面に形成した内筒５０が配設されている。すなわち嵌合面部４８,４８は、外輪体４４の回転中心を挟んだ対向位置に、前記嵌合片部３８,３８における外周面が略密着状態で嵌合する円弧状に成形され、また逃し溝４９,４９は、嵌合片部３８,３８の周方向の端部間における直線部に対向的に形成されて前後方向に延在している。なお、リム部４５と内筒５０との接合部に複数個(実施例では４個)の溝５１が周方向に離間して形成され、外輪体４４自体の軽量化が図られている。
【００１８】
なお、前記外輪体４４における内筒５０の前面側には、図２に破線で示すように、所要のデザイン印刷等を施した化粧板５３を着脱可能に装着することにより、遊技盤１０に装着された際の装飾効果を高めることができるよう構成されている。
【００１９】
【実施例の作用】
次に、前述のように構成された実施例に係るパチンコ遊技盤における遊技球用の回転案内具の作用につき説明する。
【００２０】
前述した本実施例の回転案内具２５では、図１に示す遊技盤１０において、遊技領域１３の中央に配設された電子制御式の図柄表示装置１５の左右両側に取付けられ、該遊技領域１３に打出された遊技球を、該図柄表示装置１５の下方に配設された始動入賞具１７等へ適宜変向案内するようになっている。このとき、前記図柄表示装置１５の前側透視体１６は、横方向の寸法を大きくした大型部品となっているので、始動入賞具１７に対する遊技球の適切な案内を図るため、図１および図７に示すように、回転案内具２５を可能な限り前側透視体１６に近接した位置に取付けることが必要となる。
【００２１】
この場合において、実施例の回転案内具２５では、遊技盤１０への取付けに先だって、前記取付けベース２６と内輪体３４とを前もって組付けておき、この状態で遊技盤１０に取付ける。すなわち、内輪体３４のみを組付けた取付けベース２６は、遊技盤１０の所要位置に開設した装着孔２４にボス２７を嵌挿させ、ベース板２８の長手方向が上下の向きになるよう調節し、遊技盤１０にビス３０で固着される。このとき取付けベース２６は、図７に示すように、前側透視体１６における外側縁部１６ａに近接して位置決めされているが、内輪体３４は該前側透視体１６と重なり合っていない。従って、遊技盤１０に対する組付け作業においては、前側透視体１６と取付けベース２６とが互いに干渉しないから、例えば前側透視体１６の取付け後に取付けベース２６を取付けるようにしたり、これとは反対に、取付けベース２６を取付けた後に前側透視体１６を取付けることが可能となり、遊技盤製作における遊技部品の組付け順序(工程)が制約されない。
【００２２】
そして遊技盤１０に対して、図柄表示装置１５における前側透視体１６と、内輪体３４を組付けた取付けベース２６との組付けが完了した後に、該内輪体３４に外輪体４４を取付ける。すなわち、内輪体３４の各嵌合片部３８および各係合片４０に対し、外輪体４４の各嵌合面部４８および各逃し溝４９を夫々整合させた状態で、外輪体４４を押し込む。このとき、嵌合片部３８に対して嵌合面部４８が略密着状態で摺動すると共に、各係合片４０の爪部４１が逃し溝４９に当接して半径方向内方へ弾性変形した状態で内輪体３４に対し外輪体４４がスライド移動する。そして外輪体４４が、図６に示すように、前記フランジ３９の突出部３９ａに当接する位置まで押し込まれると、係合片４０の爪部４１が、内筒５０の前側へ突出して逃し溝４９との当接が解除されて元の状態に復帰し、該内筒５０の係合段部５２に係合する。これにより、外輪体４４は内輪体３４に対して、突出部３９ａおよび爪部４１によって前後方向への移動が規制されると共に、嵌合片部３８と嵌合面部４８との整合によって周方向への移動(回動)も規制され、互いに一体化してセットされる。このように内輪体３４に装着された外輪体４４は、図１および図７に示すように、前側透視体１６とは前後方向に重なり合った状態となり、始動入賞具１７と適切な間隔をおいて配設される。なお外輪体４４と内輪体３４とは、嵌合面部４８と嵌合片部３８、係合段部５２と係合片４０とが夫々係合することにより好適に一体化し、また係合が解除されることもないので長期間の使用においても安定した係合状態が維持される。
【００２３】
本実施例の回転案内具２５では、球受け片４６の突出高さを遊技球Ｂの半径と略同一寸法に設定すると共に、隣り合う球受け片４６,４６間に画成された球受け部４７を遊技球Ｂが整合し得る曲面に形成してあるので、案内釘に当接しながら落下してくる遊技球は、外輪体４４の球受け部４７に一旦受止められる。そして外輪体４４は、受止められた遊技球Ｂの自重によって回転し、球受け部４７に収まった状態で移動した該遊技球Ｂは、横方向へ変向案内される。従って、回転案内具２５で案内される遊技球Ｂの動きに面白味があって遊技者に興味を与え得ると共に、該遊技球Ｂをより遠方へ送出することができる。また、各球受け片４６間を曲面に形成したことで該球受け片４６の基部が厚くなり、外輪体４４および球受け片４６自体の強度が向上すると共に意匠面でも向上が図られる。
【００２４】
また、図柄表示装置１５の取外しや交換に際しては、回転案内具２５の外輪体４４を内輪体３４から取外せばよい。すなわち、外輪体４４における内筒５０の前面に取付けられた化粧板５３を取外し、該内筒５０の前側へ突出した前記爪部４１,４１を指先で摘み、互いに半径方向内方へ適宜弾性変形させて係合段部５２との係合を解除させ、この状態で外輪体４４を手前側へ引出せば、嵌合片部３８と嵌合面部４８との嵌合も解除されて該外輪体４４は内輪体３４から離脱する。取付けベース２６および内輪体３４は、前側透視体１６と前後方向に重なり合っていないので、図柄表示装置１５および前側透視体１６は、手早く容易に取外すことが可能となる。
【００２５】
【変更例】
本発明に係るパチンコ遊技盤における遊技球用の回転案内具は、前記実施例に例示した形態のものに限定されるものではなく、内輪体に対して外輪体が着脱可能に構成され、かつ前面側からの指先操作により簡単かつ容易に嵌挿結合し得るものであれば、他の形態であってもよい。例えば、図８に示す回転案内具５４では、遊技盤に取付けられる取付けベース２６と、この取付けベース２６の前側に回転自在に支持される内輪体３４と、この内輪体３４に着脱自在に装着される外輪体４４とからなり、前記実施例の回転案内具２５と基本的構成は同一である。なお、前記実施例の回転案内具２５と同一部材は同一の符号を付し、詳細な説明は省略する。
【００２６】
この変更例に係る回転案内具５４では、内輪体３４と外輪体４４との係合形態において、該内輪体３４に合計３個ずつの嵌合片部３８と係合片４０が成形されており、また外輪体４４には、前記各嵌合片部３８が嵌合する円弧状の嵌合面部４８および各係合片４０が係合する逃し溝４９が夫々対応的に形成されている。従って、嵌合片部３８と嵌合面部４８、係合片４０と逃し溝４９とを整合させながら外輪体４４を押し込めば、係合片４０が逃し溝４９に係合すると共に爪部４１が係合段部５２に係合することにより、該外輪体４４と内輪体３４とは、前後方向および周方向へ移動することなく一体化する。なお、外輪体４４における係合段部５２の前面側に、蓋部材５６が取着されるようになっている。この蓋部材５６は、該蓋部材５６の外周に突設した複数の突部５７を、外輪体４４のリム部４５の内面前側に対応的に形成した溝５５に嵌挿することにより、前面側から着脱自在に取着される。また内輪体３４のボス部３６前側には、支軸３２を覆蓋するキャップ５８が装着される構成される。
【００２７】
なお、内輪体に形成される嵌合片部および係合片の形状は、前記実施例および変更例に例示した形状,形態のものに限定されるものではなく、前面側からの指先操作により外輪体を簡単かつ容易に着脱し得ると共に、内輪体と外輪体とのガタ付きのない結合をなし得るものであれば、これ以外の形状であってもよい。また前記実施例では、第１種パチンコ遊技機用の遊技盤に実施する場合を例示したが、本発明の回転案内具は、これ以外の第２種パチンコ遊技機や第３種パチンコ遊技機用の遊技盤あるいはアレンジボール遊技機の遊技盤等にも好適に実施し得る。
【００２８】
更に、前記実施例および変更例で例示した回転案内具２５,５４では、内輪体３４を回転可能に支持する支軸３２を取付けベース２６に嵌挿し、この取付けベース２６を遊技盤１０に取付けるよう構成されているが、該支軸３２を釘やビス等とすれば、この支軸３２を遊技盤１０へ直接的に打ち込んだりねじ込むことで、該内輪体３４を取付けることが可能となる。このような形態では、前記取付けベース２６を不要とすることができ、部品点数を減らして製作コストの低減を図り得る。なお、この形態においても、内輪体３４に対して外輪体４４の取付け,取外しが可能であるから、該外輪体４４を取外すだけで遊技部品を容易に取外すことができ、前記支軸３２を抜き取ったり折り曲げる必要はない。
【００２９】
【発明の効果】
以上説明した如く、本発明に係るパチンコ遊技盤における遊技球用の回転案内具によれば、遊技盤に回転可能に取付けられる内輪体と、遊技球用の球受け片を形成した外輪体とを別体に形成し、前面側からの操作により内輪体に対して外輪体を着脱可能に組付け得るよう構成したことにより、適宜時点において外輪体を簡単かつ容易に取外すことができる。従って、例えば遊技部品に隣接して回転案内具を配設するに際し、該遊技部品に対して外輪体を前後に重なり合うよう設定した場合であっても、外輪体のみを内輪体から取外せば、遊技部品の簡単かつ容易な組外しが可能となる。すなわち、遊技盤に大型の遊技部品を取付ける場合において、回転案内具の取着位置が制約されることはなく、ゲーム効果の向上に適した遊技球の適正な案内が常にできると云う有益な効果を奏する。
【００３０】
また本発明に係る回転案内具では、外輪体の前面に蓋部材が取着されているので、前記内輪体および該内輪体を回転可能に支持する支持部材が覆蓋され、回転案内具の装飾効果向上を図り得る利点がある。
【図面の簡単な説明】
【図１】本発明の実施例に係る回転案内具が実施される遊技盤の正面図である。
【図２】実施例に係る回転案内具を分解して示す視斜図である。
【図３】実施例に係る回転案内具の正面図である。
【図４】実施例の回転案内具を外輪体を取外した状態で示す正面図である。
【図５】実施例の回転案内具を外輪体および化粧板を取外した分解状態で示す一部破断側面図である。
【図６】実施例の回転案内具を遊技盤に取付けた状態で示す縦断側面図である。
【図７】実施例の回転案内具を遊技盤に取付けると共に外輪体を着脱する状態を示す横断平面図である。
【図８】変更例に係る回転案内具を分解して示す視斜図である。
【図９】従来から実施されている回転案内具を概略で示す斜視図である。
【図１０】従来から実施されている別の回転案内具を概略で示す正面図である。
【符号の説明】
１０  遊技盤
１３  遊技領域
１５  図柄表示装置(遊技部品)
１６  前側透視体
１６ａ  外側縁部
２４  装着孔
２６  取付けベース
２７  ボス
２８  ベース板
３１  通孔
３２  支軸
３４  内輪体
４４  外輪体
４５  リム部
４６  球受け片
５２  係合段部
５５  溝
５６  蓋部材
５７  突部
【図１】
0003806816.tif 000002
【図２】
0003806816.tif 000003
【図３】
0003806816.tif 000004
【図４】
0003806816.tif 000005
【図５】
0003806816.tif 000006
【図６】
0003806816.tif 000007
【図７】
0003806816.tif 000008
【図８】
0003806816.tif 000009
【図９】
0003806816.tif 000010
【図１０】
0003806816.tif 000011